(57)【要約】      （修正有）【課題】作成の手間・コストが削減でき、しおりの効果である立候補者の略歴等をみることができ、かつ、有権者からの意見・要望を聞き取ることができる政治活動用ハガキ兼しおりを提供する。【解決手段】政治活動用ハガキ兼しおりは、ハガキ用紙上に折り線３を介して連接される第１紙片１と第２紙片２を有する政治活動用ハガキであって、１ａが第１紙片１の第１面、２ａが第２紙片２の第１面、１ｂが第１紙片１の第２面、２ｂが第２紙片２の第２面であり、第１紙片１が返信用ハガキの役割を果たし、第２紙片２がしおりの役割を果たすようになされている。【選択図】図１
0003131694.tif 000002
【実用新案登録請求の範囲】
【請求項１】
ハガキ用紙上に折り線を介して連接される第１紙片と第２紙片を有する政治活動用ハガキであって、
前記第１紙片の第１面には、返信先が表示されるとともに立候補者への意見、要望等を記載する要望記載欄が設けられ、
前記第１紙片の第２面には、立候補者の指名を記載する立候補者名記載欄と記載者の氏名、住所等を記載する記載者欄が設けられ、
前記第２紙片の第１面には、立候補者等の肖像、氏名、略歴、公約、主張等を表示され、
前記第２紙片の第２面には、公約、主張等の説明が表示されていることを特徴とする政治活動用ハガキ兼しおり。
【考案の詳細な説明】
【技術分野】
【０００１】
本考案は、選挙活動およびその他の政治活動用のハガキ兼しおりに関する。
【背景技術】
【０００２】
従来から選挙活動およびその他の政治活動においては、ポスター、しおり、ハガキ等様々な媒体を用いて、所属党名、立候補者の氏名、政策課題等を有権者に働きかけていた。
【０００３】
しかし、ポスター、しおり、ハガキ等様々な媒体を用いると、作成の手間や
コストがかかる。また、有権者も様々なものを渡されても煩わしく、印象もよくない。
【０００４】
上記問題点を解決するために、折りたたんだ状態では、しおりとしての役割をはたし、広げた状態ではポスターの役割を果たす、政治活動用しおり兼ポスターが開示されている。
【特許文献１】登実登―０３０１４７５７
【考案の開示】
【考案が解決しようとする課題】
【０００５】
しかし、上記政治活動用のしおり兼ポスターは、ポスターとして、事務所等に貼設すると、しおりの効果である立候補者の略歴等をみることができず、逆に、しおりとして使用していると、ポスターとしての役割をなくしてしまうという問題がある。
【０００６】
また、しおり兼ポスターであっては、有権者に対して、立候補者所属党、氏名、政策は伝わるものの、有権者からの意見・要望を聞くことができないという問題がある。
【０００７】
本考案は、上記の問題点に鑑み、作成の手間・コストが削減でき、しおりの効果である立候補者の略歴等をみることができ、かつ、有権者からの意見・要望を聞き取ることができる政治活動用ハガキ兼しおりを提供することを目的とする。
【課題を解決するための手段】
【０００８】
上記の課題は、ハガキ用紙上に折り線を介して連接される第１紙片と第２紙片を有する政治活動用ハガキであって、前記第１紙片の第１面には、返信先が表示されるとともに立候補者への意見、要望等を記載する要望記載欄が設けられ、前記第１紙片の第２面には、公約、主張等の説明が表示され、
前記第２紙片の第１面には、立候補者等の肖像、氏名、略歴、公約、主張等を表示され、前記第２紙片の第２面には、立候補者の指名を記載する立候補者名記載欄と記載者の氏名、住所等を記載する記載者欄が設けられていることを特徴とする政治活動用ハガキ兼しおりによって解決される。
【考案の効果】
【０００９】
本考案は以上のとおりであるから、作成の手間・コストが削減でき、しおりの効果である立候補者の略歴等をみることができ、かつ、有権者からの意見・要望を聞き取ることができる。
【考案を実施するための最良の形態】
【００１０】
次に、本考案の実施最良形態を図面に基づいて説明する。
【００１１】
図１、図２に示す実施形態の政治活動用ハガキ兼しおりは、ハガキ用紙上に折り線３を介して連接される第１紙片１と第２紙片２を有する政治活動用ハガキであって、１ａが第１紙片１の第１面、２ａが第２紙片２の第１面、１ｂが第１紙片１の第２面、２ｂが第２紙片２の第２面であり、第１紙片１が返信用ハガキの役割を果たし、第２紙片２がしおりの役割を果たすようになれさている。
なお、折り線３上にキリトリ線と記載されていることが好ましい。
【００１２】
また、第１紙片１の第１面１ａの上部に返信先４が表示されるとともに、下部に意見、要望を記載する要望記載欄５が設けられている。
【００１３】
さらに、第２紙片２の第１面２ａの上部には、立候補者の肖像を写した写真６が掲載されるとともに、立候補者氏名７も表示され、下部には、立候補者の略歴等８が記載されている。
なお、立候補者の肖像の写真は、全身写真であってもよいし、顔写真であってもよい。
【００１４】
さらに、第１紙片１の第２面１ｂの右側には、立候補者の氏名７を記載する立候補者記載欄９が設けられており、左側には、立候補者を記載した人の氏名等を記載する、記載者欄１０が設けられている。
なお、記載者欄１０は、記載者の氏名欄１０ａ、住所欄１０ｂ、郵便番号欄１０ｃ、勤務先欄１０ｄ、自宅電話番号欄１０ｅ、勤務先電話番号欄１０ｆが設けられていることが好ましい。
【００１５】
さらに、第２紙片２の第２面２ｂには、立候補者の公約、主張等が表示された、政治活動紹介文１１が表示されている。
【００１６】
本実施形態では、ハガキ用紙上に折り線を介して連接される第１紙片１と第２紙片２を有する政治活動用ハガキであって、第１紙片１が返信用ハガキの役割を果たし、第２紙片２がしおりの役割を果たすようになれさているので、別々に作成する必要がなくコストを削減することができる。
【００１７】
また、第１紙片１の第１面１ａの上部に返信先４が表示されるとともに、下部に要望記載欄５が設けられているので、有権者の意見、要望を聞くことができる。
【００１８】
さらに、第２紙片２の第１面２ａの上部には、立候補者の肖像を写した写真６が掲載されるとともに、氏名７も表示され、下部には、立候補者の略歴等８が記載されており、第２紙片２の第２面２ｂには、立候補者の公約、主張等が表示された、政治活動紹介文１１が表示されているので、有権者に立候補者の意図、政策を伝えることができる。
【００１９】
さらに、第１紙片１の第２面１ｂの右側には、立候補者の氏名７を記載する立候補者記載欄９が設けられており、左側には、立候補者を記載した人の氏名等を記載する、記載者欄１０が設けられているので、選挙投票時に立候補者の氏名を間違えることなく記載することができるとともに、記載者欄１０に記載者の氏名等を記載することにより、立候補者と情報交換をすることができる。
【００２０】
以上に、本考案の実施形態を示したが、本考案はこれに限られるものではなく、考案思想を逸脱しない範囲で各種の変更が可能である。例えば、第１紙片がハガキの役割を果たし、第２紙片がしおりの役割を果たしているが、逆であってもよい。
【００２１】
また、各種記載欄が設けられているが、これに限られることなく、政治活動に関することであれば、どのような記載欄を設けてもよい。
【図面の簡単な説明】
【００２２】
【図１】（イ）〜（ロ）は本考案の開いた状態を示した正面図と裏面図である。
【図２】(イ)〜（ロ）は、本考案の閉じた状態を示した正面図お裏面図である。
【００２３】
１・・・第１紙片
１ａ・・・第１紙片の第１面
１ｂ・・・第１紙片の第２面
２・・・第２紙片
２ａ・・・第２紙片の第１面
２ｂ・・・第２紙片の第２面
３・・・折り線
４・・・返信先
５・・・意見・要望記載欄
６・・・立候補者の肖像を写した写真  
７・・・立候補者氏名
８・・・立候補者の略歴等
９・・・立候補者記載欄
１０・・・記載者欄
１０ａ・・・記載者の氏名欄、１０ｂ・・・住所、１０ｃ・・・郵便番号、１０ｄ・・・勤務先、１０ｅ・・・自宅電話番号、１０ｆ・・・勤務先電話番号
１１・・・政治活動紹介文
【図１】
0003131694.tif 000003
【図２】
0003131694.tif 000004